(57)【要約】【課題】開口部において浸入した水を好適に排水および乾燥させることができる開口部の排水構造、およびこの排水構造に用いられる排水部材を提供する。【解決手段】建築物の開口部の上枠に取り付けられた胴縁６と、胴縁６に取り付けられた外壁材７と、胴縁６の端部よりも長さ方向端部が突出して胴縁６上方に配置され、外壁材７内側に浸入した水を受ける排水部材２と、を備えた。【選択図】図２
2016000947.tif 000002
【特許請求の範囲】
【請求項１】
建築物の開口部の上枠に取り付けられた胴縁と、
前記胴縁に取り付けられた外壁材と、
前記胴縁の端部よりも長さ方向端部が突出して前記胴縁上方に配置され、前記外壁材内側に浸入した水を受ける排水部材と、を備えた開口部の排水構造。
【請求項２】
前記胴縁は、前記外壁材と接する面と対向する面が外壁下地材に取り付けられ、
前記排水部材は、前記浸入した水を受ける水受け部と、前記水受け部の一端から延び前記胴縁と前記外壁下地材とで挟まれることにより固定される支持部と、を有する請求項１記載の開口部の排水構造。
【請求項３】
前記排水部材の幅方向の一端部は、前記外壁材の背面に線接触する請求項１または２記載の開口部の排水構造。
【請求項４】
建築物の開口部の上枠に取り付けられた胴縁と、前記胴縁に取り付けられた外壁材と、前記胴縁の前記外壁材と接する面と対向する面が取り付けられた外壁下地材と、を有する前記開口部の排水構造に用いられる排水部材であって、
前記排水部材は、前記胴縁の端部よりも長さ方向端部が突出して前記胴縁上方に配置され、
前記外壁材内側に浸入した水を受ける水受け部と、
前記水受け部の一端から延び前記胴縁と前記外壁下地材とで挟まれることにより固定される支持部と、を有する排水部材。
【発明の詳細な説明】
【技術分野】
【０００１】
本発明は、建築物の開口部の排水構造、およびこの排水構造に用いられる排水部材に関する。
【背景技術】
【０００２】
建築物の外壁構造は、主に柱、構造合板、防水紙、胴縁、およびサイディング外壁を内側から外側にかけて順次備える。このような外壁構造に設けられた開口部は周囲強度を必要とするため、開口部四辺にさらに柱が設置される。この柱にサッシなどの開口部品が取り付けられた後、防水テープなどを用いて防水紙と開口部品とが防水接合される。また、防水紙上から四辺が胴縁で固定され、その上にサイディング外壁が取り付けられる。また、開口部とサイディング外壁の小口とは、シーリング材などで防水接合される。
【０００３】
サイディング外壁同士の接合部は、微量の弾性材が接することにより形成される。このため、サイディング外壁と防水紙との間には、雨水などが浸入する場合がある。壁内に浸水した水は、通気スペーサーとしての胴縁により形成された通気層で乾燥することになる。
【０００４】
壁内の通気層は、胴縁の厚みで決定される。一般的には、通気層は７ｍｍあれば通気するとされている。また、壁内結露やサイディング外壁の接合部からの入水を考慮した場合には、１２ｍｍ以上、好ましくは１５ｍｍ以上の通気層が必要とされている。
【先行技術文献】
【特許文献】
【０００５】
【特許文献１】特開２００９−１０８４９８号公報
【発明の概要】
【発明が解決しようとする課題】
【０００６】
開口部の上枠に取り付けられた胴縁は、上方から流れる水を受けると同時に、乾燥時の空気流量の最も少ない位置にある。すなわち、この胴縁は、建築物の中で最も浸水しやすく、かつ水分が抜けにくい位置にある。胴縁に含まれた水は、サイディング外壁背面と胴縁との間に存在するため、凍結融解などによりサイディング外壁を破壊させる原因となってしまう。
【０００７】
また、胴縁には、水溶性防腐剤を含浸させた後、水分を乾燥させた木材が用いられる場合がある。このような胴縁が浸水した水分を吸水してしまうと、含浸された防腐剤も流れ出てしまうおそれがある。さらに、希釈され防腐剤の薄くなった胴縁の部位にはカビやコケが発生し、胴縁自体が腐り、胴縁としての機能を果たさなくなるおそれがある。
【０００８】
また、特許文献１のように、樹脂の胴縁を用いたとしても、サイディング外壁を伝う水は、毛細管現象によりサイディング外壁と胴縁との間に吸収されるおそれがある。また胴縁に排水溝を設けた場合であっても、排水溝中央に所要の深さがなければ排水されずに水が滞留するおそれがある。さらに、サイディング外壁や防水紙に上記のように滞留した水が接すると、毛細管現象により胴縁や防水紙との間の隙間に水が吸収されるおそれもある。すなわち、特許文献１のように構成した場合、窓枠の両端へ水が十分に排水されることなく、さらには水を受ける胴縁自体の断面積が通気スペースを小さくしてしまう。
【０００９】
本発明はこのような事情を考慮してなされたもので、開口部において浸入した水を好適に排水および乾燥させる開口部の排水構造、およびこの排水構造に用いられる排水部材を提供することを目的とする。
【課題を解決するための手段】
【００１０】
本発明に係る開口部の排水構造は、上述した課題を解決するために、建築物の開口部の上枠に取り付けられた胴縁と、前記胴縁に取り付けられた外壁材と、前記胴縁の端部よりも長さ方向端部が突出して前記胴縁上方に配置され、前記外壁材内側に浸入した水を受ける排水部材と、を備えた。
【００１１】
また、本発明に係る排水部材は、建築物の開口部の上枠に取り付けられた胴縁と、前記胴縁に取り付けられた外壁材と、前記胴縁の前記外壁材と接する面と対向する面が取り付けられた外壁下地材と、を有する前記開口部の排水構造に用いられる排水部材であって、前記排水部材は、前記胴縁の端部よりも長さ方向端部が突出して前記胴縁上方に配置され、前記外壁材内側に浸入した水を受ける水受け部と、前記水受け部の一端から延び前記胴縁と前記外壁下地材とで挟まれることにより固定される支持部と、を有する。
【発明の効果】
【００１２】
本発明に係る開口部の排水構造、およびこの排水構造に用いられる排水部材においては、開口部において浸入した水を好適に排水および乾燥させることができる。
【図面の簡単な説明】
【００１３】
【図１】本実施形態における開口部の排水構造の排水部材を主に示す説明図。
【図２】図１に示す排水構造の縦断面図。
【発明を実施するための形態】
【００１４】
本発明に係る開口部の排水構造、およびこの排水構造に用いられる排水部材の一実施形態を添付図面に基づいて説明する。
【００１５】
図１は、本実施形態における開口部の排水構造１の排水部材２を主に示す説明図である。
【００１６】
図２は、図１に示す排水構造１の縦断面図である。
【００１７】
本実施形態における開口部の排水構造１は、外断熱工法が適用された住宅などの建築物の外壁構造に設けられた開口部３に適用されるものである。開口部３における外壁構造は、図２に示すように、内側から外側にかけて順次設けられた、柱４、防水紙５、胴縁６、外壁材７などにより構成される。なお、柱４と防水紙５との間には、構造合板が配置されてもよい。
【００１８】
柱４は、開口部３四辺の強度を得るために設けられる。柱４には、サッシなどの開口部品８が取り付けられる。また、開口部品８と防水紙５とは、防水テープ９により防水接合される。通気スペーサーとしての胴縁６は、防水紙５上から開口部３四辺を固定する。外壁材７は、例えば窯業系サイディング材などのサイディング外壁であり、胴縁６に取り付けられることにより建築物の外観を構成する。外壁材７の開口部３との小口は、シーリング材などで防水接合される。
【００１９】
本実施形態における排水構造１は、このような胴縁６および外壁材７と、排水部材２とで主に構成される。排水部材２は、外壁材７内側に浸入した水を受けるために設けられた部材である。排水部材２は、開口部３の上枠に設置される胴縁６ａの端部よりも長さ方向端部が突出して、胴縁６上方に配置される。
【００２０】
排水部材２は、成型性と耐久性を有する部材からなる。排水部材２は、例えば厚さ０．４ｍｍの無延伸ポリプロピレン（ＣＰＰ）を用いるのが好ましい。排水部材２は、長尺部材であり、例えば胴縁６ａの長さよりも両端が１０〜２０ｍｍ大きい長さを有する。排水部材２は、水受け部１１と、支持部１２と、接続部１３との３つの部分からなる。
【００２１】
水受け部１１は、外壁材７内部へ浸入した水を受ける。水受け部１１は、断面略Ｖ字状に形成されており、一定の水量が水受け部１１に溜まると、長さ方向端部から溜まった水がこぼれ落ちるようになっている。例えば、水受け部１１のＶ字角度を３５°程度にした場合、水受け部１１の水深が８ｍｍになると、長さ方向端部から排水される。このため、水深１０ｍｍ以上の水を溜めることができるように水受け部１１の寸法が決定されるのが好ましい。なお、水受け部１１に傾斜を設ければ、水深が５ｍｍでも排水することができる。
【００２２】
支持部１２は、水受け部１１の一端から水受け部１１のＶ字谷部１４方向（図２においては上下方向）に向かって延びた部分であり、外壁構造に固定される部分である。接続部１３は、水受け部１１と支持部１２とを接続する、設置時においては略水平となる部分である。接続部１３は、水受け部１１と支持部１２とを直接つなげることなく一定の幅を持って接続することにより、Ｖ字谷部１４の形成を好適に行い、外壁材７に対して一端部１６を線接触（断面視で点接触）することができる。すなわち、接続部１３を設けない場合、水受け部１１の第１面１１ａが外壁材７方向からの負荷を受けた場合に第１面１１ａと外壁材７の背面７ａとが面接触してしまい、一端部１６が線接触しない恐れがある。これに対し、接続部１３を設けた場合、第１面１１ａが外壁材７方向からの負荷を受けた場合であっても、第２面１１ｂが接続部１３下に折れ込むことにより、一端部１６の線接触が好適に維持される。
排水部材２の一例として、例えば、水受け部１１のＶ字を形成する各辺を１６ｍｍ、支持部１２の長さを５０ｍｍ、接続部１３の幅を３ｍｍとすることができる。
【００２３】
排水部材２は、排水構造１においては、支持部１２が胴縁６と外壁下地材とで挟まれることにより固定される。本実施形態における外壁下地材は、防水紙５、柱４が相当する。支持部１２は、直接接する防水紙５との間においては、防水テープ２０で固定される。防水テープ２０は、水と反応しない両面粘着のブチルテープを用いるのが好ましい。防水テープ９は、防水紙５を介して接する柱４（構造合板）に対応する位置に取り付け、胴縁６の固定時に同時に排水部材２を密着固定させるのが好ましい。また、防水テープ２０は、胴縁６の長さ方向に亘って継ぎ目なく連続して形成されるのが好ましい。
【００２４】
水受け部１１と支持部１２との接続部１３は、例えば胴縁６ａの上端から１０ｍｍ以上の位置にあり、水受け部１１のＶ字谷部１４が胴縁６ａの幅方向ほぼ中央に位置する。また、水受け部１１の幅方向の一端部１６（接続部１３とは逆の端部）は、外壁材７の背面７ａに線接触する。排水部材２がＣＰＰなどの弾性を有する部材で構成された場合には、水受け部１１は、外壁材７および外壁下地材から挟まれることにより、Ｖ字状を圧縮させる（Ｖ字角度を小さくさせる）一定の圧縮力を受けながら配置されるのが好ましい。これにより、水受け部１１の反発力により外壁材７の背面７ａとの接触をより確実にすることができる。
【００２５】
次に、本実施形態における開口部の排水構造１の作用について説明する。
【００２６】
外壁材７の内側に雨水などの水が浸入した場合、外壁材７の背面７ａを伝ってまたは落下して開口部３の胴縁６ａ上部まで水は落ち、水受け部１１に溜められる。このとき、排水部材２の水受け部１１の一端部１６が外壁材７と線接触（断面視で点接触）しているため、外壁材７の背面７ａを伝う水は一端部１６からＶ字状の水受け部１１に確実に流れ込み、溜められる。水受け部１１の水量が一定量を超えると、排水部材２の長さ方向端部から溜まった水がこぼれ落ちる（排水される）。これにより、胴縁６ａが水を受けることなく、排水部材２は開口部３左右の通気層３０に水を導き排水させる。また、水受け部１１にＣＰＰが用いられた場合には、ＣＰＰの撥水性を有効に作用させ、好適に排水することができる。すなわち、水受け部１１は長さ方向に傾斜を有しない場合であっても、ＣＰＰの撥水性により自然に水を流動させることができ、さらに水の表面張力と相まって水受け部１１の長さ方向端部から排水させることができる。
【００２７】
また、排水部材２の支持部１２と防水紙５との接触面は、防水テープ２０で固定されている。このため、支持部１２と防水紙５との間へ入り込んだ水は、やはり開口部３左右の通気層３０へ導かれる、または乾燥する。このため、このような水についても、胴縁６ａと接することがなく、胴縁６ａの防水（排水）を確保できる。
【００２８】
また、水受け部１１下に水受け部１１が受け損なった水滴が入り込むなど事故的に胴縁６ａが水を吸水する場合がある。このような場合であっても、胴縁６ａより一定の距離を持って排水部材２が配置されるため、通気が確保される。また、排水部材２はＶ字状断面という断面積の少ない構造を有するため、胴縁６が吸水した水を乾燥させるための通気スペースを十分に確保することができる。このため、排水構造１は、胴縁６ａが吸水した水を蒸散（乾燥）させ、胴縁６ａの機能を恒久に確保する。
【００２９】
以上説明したとおり、本実施形態における開口部の排水構造１、およびこの排水構造１に用いられる排水部材２は、開口部３において浸入した水を好適に排水および乾燥させることができる。すなわち、本実施形態における排水構造１は、壁内に浸入した水を排水部材２に集約し、排水させることができるうえに、壁内通気性の確保により排水されない水を乾燥させることもできる。
【００３０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【００３１】
例えば、排水部材２は、胴縁６ａとその上方に配置された縦胴縁３１（図１参照）下端との間の隙間（例えば３０ｍｍ程度）に配置されればよいため、縦胴縁３１の下端に固定され、配置されてもよい。この場合、この隙間に水受け部が配置され、水受け部の一端から水受け部のＶ字谷部とは逆方向に向かって延びた支持部が縦胴縁３１に固定される。また、排水部材は、上述した本実施形態における排水部材２と同様に、胴縁６ａの両端より１０〜２０ｍｍ突出して設置される。
【符号の説明】
【００３２】
１    排水構造
２    排水部材
３    開口部
４    柱
５    防水紙
６、６ａ    胴縁
７    外壁材
７ａ    背面
８    開口部品
９、２０    防水テープ
１１    水受け部
１２    支持部
１３    接続部
３０    通気層
３１    縦胴縁
【図１】
2016000947.tif 000003
【図２】
2016000947.tif 000004